(57)【要約】【課題】高分子分散液晶から成る液晶表示パネルの視認性を向上させる。【解決手段】表示装置１０であって、上光透過基板ｇ１と下光透過基板ｇ２との間に高分子分散液晶Ｌが設けられ、上光透過基板ｇ１及び下光透過基板ｇ２をその厚さ方向に貫通する貫通孔Ｈ１が形成された液晶表示パネル１０ａと、貫通孔Ｈ１内に上端部が挿入されて配設され、液晶表示パネル１０ａに光を照射するＬＥＤ１０ｂと、を備えている。【選択図】図２
2006003865.tif 000002
【特許請求の範囲】
【請求項１】
上光透過基板と下光透過基板との間に高分子分散液晶が設けられ、前記上光透過基板及び前記下光透過基板をその厚さ方向に貫通する貫通孔が形成された液晶表示パネルと、
前記貫通孔内に少なくとも一部が挿入されて配設され、前記液晶表示パネルに光を照射する発光素子と、
を備えていることを特徴とする表示装置。
【請求項２】
前記発光素子は、その上面が前記上光透過基板の上面と略面一となるように配設されていることを特徴とする請求項１に記載の表示装置。
【請求項３】
上光透過基板と下光透過基板との間に高分子分散液晶が設けられ、前記上光透過基板及び前記下光透過基板のうち何れか一方をその厚さ方向に貫通する貫通孔が形成された液晶表示パネルと、
前記貫通孔内に少なくとも一部が挿入されて配設され、前記液晶表示パネルに光を照射する発光素子と、
を備えていることを特徴とする表示装置。
【請求項４】
前記貫通孔は、複数設けられ、
各貫通孔に対応して前記発光素子が配設されていることを特徴とする請求項１〜３の何れか一項に記載の表示装置。
【請求項５】
前記貫通孔は、時計の指針軸若しくは各種情報を補助表示する補助情報表示部に対応する位置に設けられていることを特徴とする請求項１〜４の何れか一項に記載の表示装置。
【請求項６】
上光透過基板と下光透過基板と前記上光透過基板及び前記下光透過基板の間に設けられた高分子分散液晶とを有する液晶表示パネルと、
前記液晶表示パネルに光を照射する発光素子と、を備え、
前記上光透過基板及び前記下光透過基板の端部には、当該光透過基板の厚さ方向に亘って前記発光素子の外形の一部に沿う形状に切り欠かれた切欠部が設けられ、当該切欠部に前記発光素子が配設されていることを特徴とする表示装置。
【請求項７】
前記発光素子は、その上面が前記上光透過基板の上面と略面一となるように配設されていることを特徴とする請求項６に記載の表示装置。
【請求項８】
上光透過基板と下光透過基板と前記上光透過基板及び前記下光透過基板の間に設けられた高分子分散液晶とを有する液晶表示パネルと、
この液晶表示パネルに光を照射する発光素子と、を備え、
前記上光透過基板及び前記下光透過基板のうちの何れか一方の光透過基板の端部には、当該光透過基板の厚さ方向に亘って前記発光素子の外形の一部に沿う形状に切り欠かれた切欠部が設けられ、当該切欠部に前記発光素子が配設されていることを特徴とする表示装置。
【請求項９】
前記切欠部は、略円弧状に形成されていることを特徴とする請求項６〜８の何れか一項に記載の表示装置。
【請求項１０】
前記切欠部は、複数設けられ、
各切欠部に対応して前記発光素子が配設されていることを特徴とする請求項６〜９の何れか一項に記載の表示装置。
【請求項１１】
前記発光素子の上方に、当該発光素子から照射された光を前記液晶表示パネル側に反射させる反射部材が設けられていることを特徴とする請求項１〜１０の何れか一項に記載の表示装置。
【請求項１２】
上光透過基板と下光透過基板と前記上光透過基板及び前記下光透過基板の間に設けられた高分子分散液晶とを有する液晶表示パネルと、
この液晶表示パネルの側方の上側に設けられ、当該液晶表示パネルに光を照射する発光素子と、
前記液晶表示パネルよりも視認側に設けられた光透過性部材と、
この光透過性部材の前記液晶表示パネル側の面に設けられ、前記発光素子から照射された光を前記液晶表示パネルに向けて反射させる光反射部材と、
を備えていることを特徴とする表示装置。
【請求項１３】
上光透過基板と下光透過基板と前記上光透過基板及び前記下光透過基板の間に設けられた高分子分散液晶とを有する液晶表示パネルと、
この液晶表示パネルの側方の下側に設けられ、光を照射する発光素子と、
この発光素子から照射された光を前記液晶表示パネルの端部に向けて反射させる光反射部材と、
を備えていることを特徴とする表示装置。
【請求項１４】
上光透過基板と下光透過基板と前記上光透過基板及び前記下光透過基板の間に設けられた高分子分散液晶とを有する液晶表示パネルと、
この液晶表示パネルの下側に当該液晶表示パネルと重なるように設けられ、前記液晶表示パネルの外側に向けて光を照射する発光素子と、
この発光素子から照射された光を前記液晶表示パネルの端部に向けて反射させる光反射部材と、
を備えていることを特徴とする表示装置。
【請求項１５】
上光透過基板と下光透過基板と前記上光透過基板及び前記下光透過基板の間に設けられた高分子分散液晶とを有する液晶表示パネルと、
この液晶表示パネルの下側に当該液晶表示パネルと重なるように設けられ、前記液晶表示パネルに光を照射する発光素子と、
前記液晶表示パネルよりも視認側にて前記発光素子に対向させて配設された文字板と、
を備えていることを特徴とする表示装置。
【請求項１６】
前記発光素子は、前記液晶表示パネルの縁部に設けられていることを特徴とする請求項１５に記載の表示装置。
【請求項１７】
前記上光透過基板及び前記下光透過基板のうちの少なくとも何れか一方は、前記発光素子から照射された光を導光可能に構成されていることを特徴とする請求項１〜１６の何れか一項に記載の表示装置。
【請求項１８】
上光透過基板と下光透過基板と前記上光透過基板及び前記下光透過基板の間に設けられた高分子分散液晶とを有する液晶表示パネルと、
前記上光透過基板及び前記下光透過基板のうち少なくとも一方に光を照射する発光素子と、
を備えていることを特徴とする表示装置。
【請求項１９】
請求項１〜１８の何れか一項に記載の表示装置を、機器ケース内に備えていることを特徴とする電子機器。
【請求項２０】
請求項１３又は請求項１４に記載の表示装置を、機器ケース内に備え、
前記機器ケースの内面に、前記光反射部材が設けられていることを特徴とする電子機器。
【発明の詳細な説明】
【技術分野】
【０００１】
本発明は、液晶表示パネルを有する表示装置及びこれを備えた電子機器に関する。
【背景技術】
【０００２】
従来より、電子機器としての腕時計や携帯電話機等には、時刻等の各種の情報を表示する液晶表示パネルが設けられている。
また、腕時計には、発光ダイオード等の発光素子が設けられたものもあり、この発光素子から液晶表示パネルに光を照射することで、暗所にて液晶表示パネルに表示された時刻等を視認可能となっている。
【０００３】
上記の液晶表示パネルとして、例えばネマティック液晶等から構成されたものが知られており、この液晶表示パネルにあっては、この液晶表示パネルの下面に設けられた導光板によって発光素子から照射された光を導光し、液晶表示パネルに対して下側から照射するようになっている。また、液晶表示パネルに対して上方から入射された光は、当該液晶表示パネル及び導光板を透過してこの導光板の下面に配設された反射板により反射され、再度導光板を透過して液晶表示パネルに照射されるようになっている（例えば、特許文献１参照）。
【特許文献１】特開２００３−３２２８５１号公報
【発明の開示】
【発明が解決しようとする課題】
【０００４】
ところで、近年、光の透過率が高い高分子分散液晶から構成された液晶表示パネルが提案されているが、上記特許文献１等のように、液晶表示パネルの下側、即ち、視認側と反対側の導光板下面に配設した反射板により光を照射するような構成とすると、液晶表示パネルに表示される時刻、文字等のコントラストが低下し、視認性が低下してしまうといった問題がある。特に、高分子分散液晶からなる液晶表示パネルに特有の効果である、液晶表示パネルの下側に設けられる反射部材の色を背景色として適正に表すことが困難となる。
【０００５】
そこで、本発明の課題は、高分子分散液晶から成る液晶表示パネルの視認性を向上させることができる表示装置及び電子機器を提供することである。
【課題を解決するための手段】
【０００６】
請求項１に記載の発明の表示装置（１０、３１０）は、例えば、図１〜図３、図６及び図７に示すように、
上光透過基板（ｇ１、ｇ４）と下光透過基板（ｇ２、ｇ５）との間に高分子分散液晶（Ｌ）が設けられ、前記上光透過基板及び前記下光透過基板をその厚さ方向に貫通する貫通孔（Ｈ１、Ｈ３）が形成された液晶表示パネル（１０ａ、３１０ａ）と、
前記貫通孔内に少なくとも一部が挿入されて配設され、前記液晶表示パネルに光を照射する発光素子（例えば、ＬＥＤ１０ｂ）と、
を備えていることを特徴とする。
【０００７】
請求項２に記載の発明は、請求項１に記載の表示装置において、
前記発光素子は、その上面が前記上光透過基板の上面と略面一となるように配設されていることを特徴とする。
【０００８】
請求項３に記載の発明の表示装置（２１０）は、例えば、図４及び図５に示すように、  上光透過基板（ｇ３）と下光透過基板（ｇ２）との間に高分子分散液晶（Ｌ）が設けられ、前記上光透過基板及び前記下光透過基板のうち何れか一方をその厚さ方向に貫通する貫通孔（Ｈ２）が形成された液晶表示パネル（２１０ａ）と、
前記貫通孔内に少なくとも一部が挿入されて配設され、前記液晶表示パネルに光を照射する発光素子（例えば、ＬＥＤ１０ｂ）と、
を備えていることを特徴とする。
【０００９】
請求項４に記載の発明は、請求項１〜３の何れか一項に記載の表示装置において、
前記貫通孔は、複数設けられ、
各貫通孔に対応して前記発光素子が配設されていることを特徴とする。
【００１０】
請求項５に記載の発明は、例えば、図１、図６等に示すように、請求項１〜４の何れか一項に記載の表示装置において、
前記貫通孔は、時計の指針軸（Ｓ）若しくは各種情報を補助表示する補助情報表示部（１５）に対応する位置に設けられていることを特徴とする。
【００１１】
請求項６に記載の発明の表示装置（５１０、６１０）は、例えば、図１６〜図１９に示すように、
上光透過基板（ｇ６、ｇ８）と下光透過基板（ｇ７、ｇ９）と前記上光透過基板及び前記下光透過基板の間に設けられた高分子分散液晶（Ｌ）とを有する液晶表示パネル（５１０ａ、６１０ａ）と、
前記液晶表示パネルに光を照射する発光素子（例えば、ＬＥＤ１０ｂ）と、を備え、
前記上光透過基板及び前記下光透過基板の端部には、当該光透過基板の厚さ方向に亘って前記発光素子の外形の一部に沿う形状に切り欠かれた切欠部（Ｃ１、Ｃ２）が設けられ、当該切欠部に前記発光素子が配設されていることを特徴とする。
【００１２】
請求項７に記載の発明は、請求項６に記載の表示装置において、
前記発光素子は、その上面が前記上光透過基板の上面と略面一となるように配設されていることを特徴とする。
【００１３】
請求項８に記載の発明の表示装置（７１０）は、例えば、図２０及び図２１に示すように、
上光透過基板（ｇ１０）と下光透過基板（ｇ７）と前記上光透過基板及び前記下光透過基板の間に設けられた高分子分散液晶（Ｌ）とを有する液晶表示パネル（７１０ａ）と、
この液晶表示パネルに光を照射する発光素子（例えば、ＬＥＤ１０ｂ）と、を備え、
前記上光透過基板及び前記下光透過基板のうちの何れか一方の光透過基板の端部には、当該光透過基板の厚さ方向に亘って前記発光素子の外形の一部に沿う形状に切り欠かれた切欠部（Ｃ３）が設けられ、当該切欠部に前記発光素子が配設されていることを特徴とする。
【００１４】
請求項９に記載の発明は、請求項６〜８の何れか一項に記載の表示装置において、
前記切欠部は、略円弧状に形成されていることを特徴とする。
【００１５】
請求項１０に記載の発明は、請求項６〜９の何れか一項に記載の表示装置において、
前記切欠部は、複数設けられ、
各切欠部に対応して前記発光素子が配設されていることを特徴とする。
【００１６】
請求項１１に記載の発明は、例えば、図８及び図９に示すように、請求項１〜１０の何れか一項に記載の表示装置において、
前記発光素子の上方に、当該発光素子から照射された光を前記液晶表示パネル側に反射させる反射部材（１６）が設けられていることを特徴とする。
【００１７】
請求項１２に記載の発明の表示装置（８１０）は、例えば、図１０に示すように、
上光透過基板（ｇ１１）と下光透過基板（ｇ１２）と前記上光透過基板及び前記下光透過基板の間に設けられた高分子分散液晶（Ｌ）とを有する液晶表示パネル（８１０ａ）と、
この液晶表示パネルの側方の上側に設けられ、当該液晶表示パネルに光を照射する発光素子（例えば、ＬＥＤ１０ｂ）と、
前記液晶表示パネルよりも視認側に設けられた光透過性部材（例えば、時計ガラス８０３）と、
この光透過性部材の前記液晶表示パネル側の面に設けられ、前記発光素子から照射された光を前記液晶表示パネルに向けて反射させる光反射部材（８１６）と、
を備えていることを特徴とする。
【００１８】
請求項１３に記載の発明の表示装置（９１０、１０１０）は、例えば、図１１及び図１２に示すように、
上光透過基板（ｇ１１、ｇ１３）と下光透過基板（ｇ１２、ｇ１４）と前記上光透過基板及び前記下光透過基板の間に設けられた高分子分散液晶（Ｌ）とを有する液晶表示パネル（８１０ａ、９１０ａ）と、
この液晶表示パネルの側方の下側に設けられ、光を照射する発光素子（例えば、ＬＥＤ１０ｂ）と、
この発光素子から照射された光を前記液晶表示パネルの端部に向けて反射させる光反射部材（９１６）と、
を備えていることを特徴とする。
【００１９】
請求項１４に記載の発明の表示装置（１１１０）は、例えば、図１３に示すように、
上光透過基板（ｇ１３）と下光透過基板（ｇ１４）と前記上光透過基板及び前記下光透過基板の間に設けられた高分子分散液晶（Ｌ）とを有する液晶表示パネル（１１１０ａ）と、
この液晶表示パネルの下側に当該液晶表示パネルと重なるように設けられ、前記液晶表示パネルの外側に向けて光を照射する発光素子（例えば、ＬＥＤ１０ｂ）と、
この発光素子から照射された光を前記液晶表示パネルの端部に向けて反射させる光反射部材（９１６）と、
を備えていることを特徴とする。
【００２０】
請求項１５に記載の発明の表示装置（１２１０、１３１０）は、例えば、図１４及び図１５に示すように、
上光透過基板（ｇ１５）と下光透過基板（ｇ１６）と前記上光透過基板及び前記下光透過基板の間に設けられた高分子分散液晶（Ｌ）とを有する液晶表示パネル（１２１０ａ、１３１０ａ）と、
この液晶表示パネルの下側に当該液晶表示パネルと重なるように設けられ、前記液晶表示パネルに光を照射する発光素子（例えば、ＬＥＤ１０ｂ）と、
前記液晶表示パネルよりも視認側にて前記発光素子に対向させて配設された文字板（１２１１、１３１１）と、
を備えていることを特徴とする。
【００２１】
請求項１６に記載の発明は、請求項１５に記載の表示装置において、
前記発光素子は、前記液晶表示パネルの縁部に設けられていることを特徴とする。
【００２２】
請求項１７に記載の発明は、請求項１〜１６の何れか一項に記載の表示装置において、
前記上光透過基板及び前記下光透過基板のうちの少なくとも何れか一方は、前記発光素子から照射された光を導光可能に構成されていることを特徴とする。
【００２３】
請求項１８に記載の発明の表示装置（５１０、６１０、７１０）は、例えば、図１７、図１９、図２１等に示すように、
上光透過基板（ｇ６、ｇ８、ｇ１０）と下光透過基板（ｇ７、ｇ９）と前記上光透過基板及び前記下光透過基板の間に設けられた高分子分散液晶（Ｌ）とを有する液晶表示パネル（５１０a、６１０a、７１０a）と、
前記上光透過基板及び前記下光透過基板のうち少なくとも一方に光を照射する発光素子（例えば、ＬＥＤ１０ｂ）と、
を備えていることを特徴とする。
【００２４】
請求項１９に記載の発明の電子機器（１００、２００、３００、４００、５００、６００、７００、８００、９００、１０００、１１００、１２００、１３００）は、例えば、図１〜図２１に示すように、
請求項１〜１８の何れか一項に記載の表示装置を、機器ケース（例えば、時計ケース２、８０２、９０２、１２０２、筐体５３３）内に備えていることを特徴とする。
【００２５】
請求項２０に記載の発明の電子機器（例えば、腕時計１０００、１１００）は、例えば、図１２及び図１３等に示すように、
請求項１３又は請求項１４に記載の表示装置を、機器ケース（例えば、時計ケース９０２）内に備え、
前記機器ケースの内面に、前記光反射部材が設けられていることを特徴とする。
【発明の効果】
【００２６】
請求項１に記載の発明によれば、液晶表示パネルの貫通孔内に発光素子が配設されているので、この発光素子から照射された光を貫通孔の内周面を介して上光透過基板及び下光透過基板内に入射させることができる。これにより、液晶表示パネルに対してその視認側と反対側から光を照射する構成のものに比べて、液晶表示パネルに表示される各種情報のコントラストの低下を抑制することができ、液晶表示パネルの視認性を向上させることができる。また、高分子分散液晶を有する液晶表示パネルにおいて、その視認側と反対側に設けられる反射部材の色を背景色として適正に表すことができる。
また、液晶表示パネルと発光素子とを表示装置の厚さ方向に配設する場合に比べて表示装置の厚さを薄くすることができる。ここで、液晶表示パネルには、高分子分散液晶が設けられているので、偏光板、位相差フィルム及び配光膜等を配設する必要がなくなる。また、発光素子から照射された光は、上光透過基板と下光透過基板により導光されるので、導光板を設ける必要がなくなる。これにより、表示装置の厚さを偏光板、位相差フィルム、配光膜及び導光板の分薄くすることができる。さらに、表示装置の光透過基板に沿う方向の長さも短くすることができ、これにより、表示装置のより小型化を図ることができる。
また、偏光板による光損失がなく、高分子分散液晶の液剤により光が拡散されることとなり、液晶表示パネル全体を明るく照明することができる。
【００２７】
請求項２に記載の発明によれば、発光素子から液晶表示パネルに対する光の照射を効率良く適正に行うことができる。即ち、発光素子の上面が上光透過基板の上面よりも低いと、当該上光透過基板による導光を効率良く行うことができず、また、発光素子の上面が上光透過基板の上面よりも高いと、発光素子のうち、上光透過基板の上面よりも高い部分から発せられた光は、上光透過基板内に入射されないため、照射光が無駄になってしまうためである。
【００２８】
請求項３に記載の発明によれば、液晶表示パネルの貫通孔内に発光素子が配設されているので、この発光素子から照射された光を貫通孔の内周面を介して上光透過基板及び下光透過基板のうち何れか一方に入射させることができる。これにより、液晶表示パネルに対してその視認側と反対側から光を照射する構成のものに比べて、液晶表示パネルに表示される各種情報のコントラストの低下を抑制することができ、液晶表示パネルの視認性を向上させることができる。また、高分子分散液晶を有する液晶表示パネルにおいて、その視認側と反対側に設けられる反射部材の色を背景色として適正に表すことができる。
また、液晶表示パネルと発光素子とを表示装置の厚さ方向に配設する場合に比べて表示装置の厚さを薄くすることができる。ここで、液晶表示パネルには、高分子分散液晶が設けられているので、偏光板、位相差フィルム及び配光膜等を配設する必要がなくなる。また、発光素子から照射された光は、上光透過基板及び下光透過基板により導光されるので、導光板を設ける必要がなくなる。これにより、表示装置の厚さを偏光板、位相差フィルム、配光膜及び導光板の分薄くすることができる。さらに、表示装置の光透過基板に沿う方向の長さも短くすることができ、これにより、表示装置のより小型化を図ることができる。
また、発光素子の先端部から発せられ、貫通孔が設けられている光透過基板の方に向かわずに漏れてしまう光は、貫通孔が設けられていない光透過基板に入射されて導光されることとなり、液晶表示パネルに対する光の照射効率を高めることができる。さらに、偏光板による光損失がなく、高分子分散液晶の液剤により光が拡散されることとなり、液晶表示パネル全体を明るく照明することができる。
【００２９】
請求項４に記載の発明によれば、複数の発光素子にて液晶表示パネルを効率良く、且つ、より明るく照明することができ、液晶表示パネルの視認性をより向上させる。また、複数の発光素子を備える表示装置であっても、当該表示装置の光透過基板に沿う方向の長さが大きくなることを防止して、表示装置の小型化を図ることができる。
【００３０】
請求項５に記載の発明によれば、表示装置において表示されるユーザにとって重要な部分を効率良く照明することができる。また、表示装置を美的感覚の優れたものとすることができ、その商品価値の向上を図ることができる。
【００３１】
請求項６に記載の発明によれば、液晶表示パネルの切欠部に発光素子が配設されているので、この発光素子から照射された光を切欠部の内周面を介して上光透過基板及び下光透過基板内に入射させることができる。これにより、液晶表示パネルに対してその視認側と反対側から光を照射する構成のものに比べて、液晶表示パネルに表示される各種情報のコントラストの低下を抑制することができ、液晶表示パネルの視認性を向上させることができる。また、高分子分散液晶を有する液晶表示パネルにおいて、その視認側と反対側に設けられる反射部材の色を背景色として適正に表すことができる。
また、液晶表示パネルと発光素子とを表示装置の厚さ方向に配設する場合に比べて表示装置の厚さを薄くすることができる。ここで、液晶表示パネルには、高分子分散液晶が設けられているので、偏光板、位相差フィルム及び配光膜等を配設する必要がなくなる。また、発光素子から照射された光は、上光透過基板及び下光透過基板により導光されるので、導光板を設ける必要がなくなる。これにより、表示装置の厚さを偏光板、位相差フィルム、配光膜及び導光板の分薄くすることができる。さらに、表示装置の光透過基板に沿う方向の長さも短くすることができ、これにより、表示装置のより小型化を図ることができる。
また、偏光板による光損失がなく、高分子分散液晶の液剤により光が拡散されることとなり、液晶表示パネル全体を明るく照明することができる。
【００３２】
請求項７に記載の発明によれば、発光素子から液晶表示パネルに対する光の照射を効率良く適正に行うことができる。即ち、発光素子の上面が上光透過基板の上面よりも低いと、当該上光透過基板による導光を効率良く行うことができず、また、発光素子の上面が上光透過基板の上面よりも高いと、発光素子のうち、上光透過基板の上面よりも高い部分から発せられた光は、上光透過基板内に入射されないため、照射光が無駄になってしまうためである。
【００３３】
請求項８に記載の発明によれば、液晶表示パネルの切欠部に発光素子が配設されているので、この発光素子から照射された光を切欠部の内周面を介して上光透過基板及び下光透過基板のうち何れか一方に入射させることができる。これにより、液晶表示パネルに対してその視認側と反対側から光を照射する構成のものに比べて、液晶表示パネルに表示される各種情報のコントラストの低下を抑制することができ、液晶表示パネルの視認性を向上させることができる。また、高分子分散液晶を有する液晶表示パネルにおいて、その視認側と反対側に設けられる反射部材の色を背景色として適正に表すことができる。
また、液晶表示パネルと発光素子とを表示装置の厚さ方向に配設する場合に比べて表示装置の厚さを薄くすることができる。ここで、液晶表示パネルには、高分子分散液晶が設けられているので、偏光板、位相差フィルム及び配光膜等を配設する必要がなくなる。また、発光素子から照射された光は、上光透過基板及び下光透過基板により導光されるので、導光板を設ける必要がなくなる。これにより、表示装置の厚さを偏光板、位相差フィルム、配光膜及び導光板の分薄くすることができる。さらに、表示装置の光透過基板に沿う方向の長さも短くすることができ、これにより、表示装置のより小型化を図ることができる。
また、発光素子の先端部から発せられ、切欠部が設けられている光透過基板の方に向かわずに漏れてしまう光は、切欠部が設けられていない光透過基板にて導光されることとなり、液晶表示パネルに対する光の照射効率を高めることができる。さらに、偏光板による光損失がなく、高分子分散液晶の液剤により光が拡散されることとなり、液晶表示パネル全体を明るく照明することができる。
【００３４】
請求項９に記載の発明によれば、発光素子から放射方向に略均等に光を照射することができ、液晶表示パネルを効率良く照明することができる。従って、液晶表示パネルの視認性をより向上させることができる。
【００３５】
請求項１０に記載の発明によれば、複数の発光素子にて液晶表示パネルを効率良く、且つ、より明るく照明することができ、液晶表示パネルの視認性をより向上させる。また、複数の発光素子を備える表示装置であっても、当該表示装置の光透過基板に沿う方向の長さが大きくなることを防止して、表示装置の小型化を図ることができる。
【００３６】
請求項１１に記載の発明によれば、発光素子の上端部から発せられ光透過基板の方に向かわずに漏れてしまう光は、反射部材にて反射されて光透過基板内に入射され導光されることとなり、液晶表示パネルの照明をより効率良く行うことができる。従って、液晶表示パネルの視認性をより向上させることができる。
【００３７】
請求項１２に記載の発明によれば、光透過性部材の液晶表示パネル側の面に設けられている光反射部材によって、発光素子から発せられた光、特に、液晶表示パネルの方に向かわずに漏れてしまう光であっても、液晶表示パネルに向けて反射させて、上光透過基板及び下光透過基板内に入射させることができる。即ち、発光素子から照射された光は、液晶表示パネルにその視認側から入射されることとなるので、液晶表示パネルに対してその視認側と反対側から光を照射する構成のものに比べて、液晶表示パネルに表示される各種情報のコントラストの低下を抑制することができ、液晶表示パネルの視認性を向上させることができる。また、高分子分散液晶を有する液晶表示パネルにおいて、その視認側と反対側に設けられる反射部材の色を背景色として適正に表すことができる。
【００３８】
請求項１３に記載の発明によれば、発光素子の光照射軸上に設けられている光反射部材によって、発光素子から照射された光を液晶表示パネルの端部に向けて反射させて、上光透過基板及び下光透過基板内に入射させることができる。即ち、発光素子から照射された光は、液晶表示パネルにその端部から入射されることとなるので、液晶表示パネルに対してその視認側と反対側から光を照射する構成のものに比べて、液晶表示パネルに表示される各種情報のコントラストの低下を抑制することができ、液晶表示パネルの視認性を向上させることができる。また、高分子分散液晶を有する液晶表示パネルにおいて、その視認側と反対側に設けられる反射部材の色を背景色として適正に表すことができる。
また、液晶表示パネルと発光素子との配置の自由度を向上させることができ、これにより、必ずしも液晶表示パネルと発光素子とを表示装置の厚さ方向に配設する必要がなくなり、表示装置の薄型化を図ることができる。
【００３９】
請求項１４に記載の発明によれば、発光素子の光照射軸上に設けられている光反射部材によって、発光素子から照射された光を液晶表示パネルの端部に向けて反射させて、上光透過基板及び下光透過基板内に入射させることができる。即ち、発光素子から照射された光は、液晶表示パネルにその端部から入射されることとなるので、液晶表示パネルに対してその視認側と反対側から光を照射する構成のものに比べて、液晶表示パネルに表示される各種情報のコントラストの低下を抑制することができ、液晶表示パネルの視認性を向上させることができる。また、高分子分散液晶を有する液晶表示パネルにおいて、その視認側と反対側に設けられる反射部材の色を背景色として適正に表すことができる。
さらに、発光素子が液晶表示パネルの下側に当該液晶表示パネルと重なるように設けられているので、表示装置の光透過基板に沿う方向の長さを短くすることができ、これにより、表示装置のより小型化を図ることができる。
【００４０】
請求項１５に記載の発明によれば、発光素子の光照射軸上に設けられている文字板の裏面側にて発光素子から照射された光を液晶表示パネルに向けて反射させて、上光透過基板及び下光透過基板内に入射させることができる。即ち、発光素子から照射された光は、文字板にて液晶表示パネル側に反射され、当該液晶表示パネルの文字板により被覆されていない領域においてその視認側から入射されることとなるので、液晶表示パネルに対してその視認側と反対側から光を照射する構成のものに比べて、液晶表示パネルに表示される各種情報のコントラストの低下を抑制することができ、液晶表示パネルの視認性を向上させることができる。また、高分子分散液晶を有する液晶表示パネルにおいて、その視認側と反対側に設けられる反射部材の色を背景色として適正に表すことができる。
さらに、発光素子は文字板により視認側からは隠された状態となるので、表示装置を美的感覚の優れたものとすることができ、その商品価値の向上を図ることができる。
また、発光素子が液晶表示パネルの下側に当該液晶表示パネルと重なるように設けられているので、表示装置の光透過基板に沿う方向の長さを短くすることができ、これにより、表示装置のより小型化を図ることができる。
【００４１】
請求項１６に記載の発明によれば、発光素子は、液晶表示パネルの縁部に設けられているので、発光素子を液晶表示パネルの中央部側に設ける場合に比べて、当該液晶表示パネルの表示領域を確保する上での発光素子の配置の制約を受けにくくすることができる。
【００４２】
請求項１７に記載の発明によれば、上光透過基板及び下光透過基板のうちの少なくとも何れか一方は、発光素子から照射された光を導光可能に構成されており、請求項１〜１６に記載の発明と同様の効果を得ることができる。
【００４３】
請求項１８に記載の発明によれば、発光素子から液晶表示パネルの上光透過基板及び下光透過基板のうち少なくとも一方に光を照射して当該液晶表示パネルに光を入射することができ、これにより、液晶表示パネルの視認性を向上させることができる。即ち、例えば、液晶表示パネルに対してその視認側と反対側から光を照射しない構成とすることにより、当該液晶表示パネルに表示される各種情報のコントラストの低下を抑制することができることとなって、液晶表示パネルの視認性を向上させることができる。また、高分子分散液晶を有する液晶表示パネルにおいて、その視認側と反対側に設けられる反射部材の色を背景色として適正に表すことができる。
また、液晶表示パネルには、高分子分散液晶が設けられているので、偏光板、位相差フィルム及び配光膜等を配設する必要がなくなる。また、発光素子から照射された光は、上光透過基板及び下光透過基板により導光されるので、導光板を設ける必要がなくなる。これにより、表示装置の厚さを偏光板、位相差フィルム、配光膜及び導光板の分薄くすることができる。さらに、表示装置の光透過基板に沿う方向の長さも短くすることができ、これにより、表示装置のより小型化を図ることができる。
また、偏光板による光損失がなく、高分子分散液晶の液剤により光が拡散されることとなり、液晶表示パネル全体を明るく照明することができる。
【００４４】
請求項１９に記載の発明によれば、機器ケース内に請求項１〜１８の何れか一項に記載の表示装置を備えることにより、液晶表示パネルの視認性が良く、商品価値の高い表示装置を搭載した電子機器を提供することができる。
【００４５】
請求項２０に記載の発明によれば、表示装置が組み込まれる機器ケースの内面に光反射部材が設けられているので、電子機器内に、光反射部材の配設のためだけの専用部品等を設ける必要がなくなり、電子機器の小型化を図ることができる。
【発明を実施するための最良の形態】
【００４６】
以下に、本発明について、図面を用いて具体的な態様を説明する。ただし、発明の範囲は、図示例に限定されない。
【００４７】
［実施形態１］
図１は、本発明を適用した実施形態１の電子機器の好適な一例として例示する腕時計を示す正面図であり、図２は、図１のII−II線における要部の拡大断面図である。
【００４８】
図１及び図２に示すように、腕時計１００には、時計計時部１を内部に収納する機器ケースとしての時計ケース２が備えられている。
時計ケース２の上部中央には時計ガラス３が装着され、また、時計ケース２の上部外周には、時字指標が設けられたベゼル４が配設されている。また、時計ケース２の下面には、防水リング５を介して裏蓋６が取り付けられており、裏蓋６と時計計時部１との間には、緩衝部材７が設けられている。さらに、時計ケース２の外周部には、入力部５０（図３参照）を構成する当該腕時計１００の各種機能の実行を指示するスイッチ５１、…が設けられている。
また、図２に示すように、時計ケース２の時計計時部１を挟んだ両端部、即ち、時計ケース２の当該腕時計１００における１２時方向側及び６時方向側の端部には、バンド軸を介して時計バンドを取り付けるための貫通部２１が設けられている。
【００４９】
時計計時部１は、図２に示すように、デジタル表示機能を備える表示装置１０と、視認側（図２における上側）に設けられた上部ハウジング１１と、視認側と反対側（図２における下側）に設けられた下部ハウジング１２とを備えて構成されている。
下部ハウジング１２には、当該腕時計１００が各種動作を行うための電源としての例えば電池（図示略）が組み込まれている。また、下部ハウジング１２と上部ハウジング１１との間には、表示装置１０を構成するＰＷＢなどの回路基板１０ｃ（後述）が配置されている。
上部ハウジング１１の上部には、上面を時計ガラス３の下面にほぼ当接させるようにして枠状部材１３が配設されている。
【００５０】
以下に、表示装置１０について詳細に説明する。
表示装置１０は、上部ハウジング１１に収容された液晶表示パネル１０ａと、液晶表示パネル１０ａに対して光を照射する発光素子としての発光ダイオード（Light Emitting Diode；ＬＥＤ）１０ｂと、液晶表示パネル１０ａ、ＬＥＤ１０ｂ等と電気的に接続された回路基板１０ｃと、を備えて構成されている。
【００５１】
液晶表示パネル１０ａは、例えば上下一対の透明電極をそれぞれ有する上光透過基板ｇ１及び下光透過基板ｇ２と、上透明電極と下透明電極の間に封止された高分子分散液晶Ｌと、上光透過基板ｇ１の上面に配設されたＵＶカットフィルムｆ１と、下光透過基板ｇ２の下面に配設された反射フィルムｆ２等により構成されている。
なお、図示は省略するが、上透明電極及び下透明電極には配線が接続されており、配線はコネクターを介して回路基板１０ｃに接続されている。
【００５２】
以下、液晶表示パネル１０ａの表示駆動について詳細に説明する。
先ず、図３を参照して腕時計１００の内部構成について説明する。
図３に示すように、腕時計１００は、ＣＰＵ（Central Processing Unit）２０、ＲＡ
Ｍ（Random Access Memory）３０、ＲＯＭ（Read Only Memory）４０、入力部５０、計時回路部６０、発振回路部７０、表示駆動回路部８０によって構成されており、発振回路部７０を除く各部はバスＢによって接続されている。
【００５３】
ＣＰＵ２０は、所定のタイミング或いは入力部５０から入力された操作信号等に応じて、ＲＯＭ４０内に格納された各種プログラムに基づいて各機能部への指示やデータの転送等を行う。特に、ＣＰＵ２０は、例えば、計時回路部６０で計数される現在時刻データに基づく表示信号を表示駆動回路部８０に出力して現在時刻を表示させる等の各種制御を行う。
【００５４】
ＲＡＭ３０は、ＣＰＵ２０の制御下にて、ＣＰＵ２０で処理されたデータを記憶するとともに、記憶しているデータをＣＰＵ２０に出力するために用いられるものである。
ＲＯＭ４０は、主に、腕時計１００に係るシステムプログラムやアプリケーションプログラム等を記憶するものである。
【００５５】
入力部５０は、腕時計１００における各種機能、例えば、ＬＥＤ１０ｂからの液晶表示パネル１０ａに対する照明動作等を指示するスイッチ５１を備えて構成されている。そして、ユーザによる各スイッチ５１の操作に基づいて、対応するスイッチ５１の操作信号をＣＰＵ２０に対して出力するようになっている。
【００５６】
計時回路部６０は、発振回路部７０から入力される信号を計数して、現在時刻データ等を取得し、当該現在時刻データをＣＰＵ２０に対して出力するものである。また、計時回路部６０には、常時一定周波数の信号を出力する発振回路部７０が接続されている。
【００５７】
表示駆動回路部８０は、ＣＰＵ２０から出力され入力されたデータに基づいて表示装置１０の駆動を制御するものである。即ち、表示駆動回路部８０は、例えば現在時刻データに基づいて、高分子分散液晶Ｌからなる液晶表示パネル１０ａの一対の透明電極間に所定の電圧を印加し、その印加状態に応じて現在時刻等をデジタル表示させるように構成されている。より具体的には、表示駆動回路部８０は、液晶表示パネル１０ａの視認側に指針軸Ｓを中心として運針するように時針、分針及び秒針をデジタル表示するようになっている（図１参照）。
また、表示駆動回路部８０は、スイッチ５１の操作信号に基づいて液晶表示パネル１０ａに対して光を照射するＬＥＤ１０ｂの駆動を制御するようになっている。
【００５８】
ここで、液晶表示パネル１０ａを構成する高分子分散液晶Ｌについて説明する。
高分子分散液晶Ｌは、光の波長程度（０.５から数μｍ）の液晶微粒子が高分子材料中
に分散されてなるものであり、電界印加により液晶分子が電界方向に配光して光透過状態（透明）となり、また、電界除去により液晶分子がポリマーネットワーク表面に沿うように並んで光散乱状態（白濁）となる。このため、例えばネマティック液晶等から構成された一般的なＬＣＤで必要な配光膜や配光処理が不要となる。また、高分子分散液晶Ｌは、光散乱を利用するものであるため、従来の多くの液晶素子で使用されている偏光板を用いる必要がないので、透過率が高く、光の利用効率が良いという特徴を有している。これにより、明るく、視角依存性の低い液晶表示パネルを提供できる。
また、高分子分散液晶Ｌを用いて液晶表示パネルを製造するに当たってはラビングによる分子配向処理を行う必要もないので製造プロセスが簡略化され、大面積化も容易であるという特徴を有している。さらに、液晶材料そのものがフィルム状のものであるため、電圧を加えるための透明電導膜を施した透明基板としてプラスチックフィルムを用いると全体としてフレキシブルなフィルム状の液晶表示パネルを得ることができるという特徴を有している。
【００５９】
次に、液晶表示パネル１０ａとＬＥＤ１０ｂの配置に係る構成について説明する。
上光透過基板ｇ１及び下光透過基板ｇ２は、平面視略円形状をなし互いに略同形状となるように形成され、これら両光透過基板ｇ１、ｇ２は、上下にほぼ一致して重なるように配設されている。そして、上光透過基板ｇ１及び下光透過基板ｇ２の略中心である当該腕時計１００の指針軸Ｓに対応する位置に、両光透過基板ｇ１、ｇ２を厚さ方向に貫通して、内部にＬＥＤ１０ｂが配設される貫通孔Ｈ１が形成されている。
即ち、貫通孔Ｈ１は、例えば、ＬＥＤ１０ｂの略円柱状をなす上端部側（ＬＥＤ１０ｂの回路基板１０ｃに接続される電極側と反対側）の外形に沿う形状に形成されており、当該貫通孔Ｈ１内に電極が回路基板１０ｃに接続されるＬＥＤ１０ｂの上端部が挿入され、その上端面を上光透過基板ｇ１の視認側から露出させるようにしてＬＥＤ１０ｂが配設されている。
なお、高分子分散液晶Ｌは、上光透過基板ｇ１と下光透過基板ｇ２の間にて貫通孔Ｈ１を取り囲むように挟持されている。
【００６０】
ＬＥＤ１０ｂは、その上端部の内部の光出力部（図示略）から出力された光が当該ＬＥＤ１０ｂの周囲の上光透過基板ｇ１及び下光透過基板ｇ２に入射されるように、例えば上端部内部に反射部材（図示略）を備えて構成されている。また、ＬＥＤ１０ｂは、その上端面が上光透過基板ｇ１の上面と略面一となるように貫通孔Ｈ１内に配設されている。
これにより、ＬＥＤ１０ｂから液晶表示パネル１０ａに対する光の照射を効率良く適正に行うことができる。即ち、ＬＥＤ１０ｂの上端面が上光透過基板ｇ１の上面よりも低いと、当該上光透過基板ｇ１による導光を効率良く行うことができず、また、ＬＥＤ１０ｂの上端面が上光透過基板ｇ１の上面よりも高いと、ＬＥＤ１０ｂのうち、上光透過基板ｇ１の上面よりも高い部分から発せられた（漏れた）光は、上光透過基板ｇ１内に入射されないため、照射光が無駄になってしまうためである。
【００６１】
以上のように、実施形態１の腕時計１００によれば、液晶表示パネル１０ａの上光透過基板ｇ１及び下光透過基板ｇ２を貫通して形成された貫通孔Ｈ１内にＬＥＤ１０ｂが配設されているので、ＬＥＤ１０ｂから照射された光を貫通孔Ｈ１の内周面を介して上光透過基板ｇ１及び下光透過基板ｇ２内に入射させることができる。これにより、液晶表示パネル１０ａに対してその視認側と反対側から光を照射する構成のものに比べて、液晶表示パネル１０ａに表示される各種情報のコントラストや視認性の低下を抑制することができる。また、高分子分散液晶Ｌを有する液晶表示パネル１０ａにおいて、その視認側と反対側に設けられる反射フィルムｆ２の色を背景色として適正に表すことができる。
このように、液晶表示パネル１０ａの視認性を向上させることができ、表示装置８１０を備える腕時計１００の商品価値を向上させることができる。
【００６２】
また、液晶表示パネル１０ａとＬＥＤ１０ｂとを表示装置１０の厚さ方向に配設する場合に比べて、表示装置１０の厚さを薄くすることができる。ここで、液晶表示パネル１０ａには、高分子分散液晶Ｌが設けられているので、偏光板、位相差フィルム及び配光膜等を配設する必要がなくなる。また、ＬＥＤ１０ｂから照射された光は、上光透過基板ｇ１と下光透過基板ｇ２により導光されるので、導光板を設ける必要がなくなる。これにより、表示装置１０の厚さを偏光板、位相差フィルム、配光膜及び導光板の分薄くすることができる。さらに、表示装置１０の光透過基板ｇ１、ｇ２に沿う方向の外形長さも短くすることができ、これにより、当該表示装置１０並びにこれを備える本腕時計１００のより小型化を図ることができる。
また、偏光板が必要なくなることにより、当該偏光板による光損失がなくなって、高分子分散液晶Ｌの液剤により光が拡散されて、液晶表示パネル１０ａ全体を明るく照明することができる。
【００６３】
さらに、ＬＥＤ１０ｂは、腕時計１００の指針軸Ｓに対応する位置に設けられているので、表示装置１０にて表示されるユーザにとって重要な部分を効率良く照明することができる。また、表示装置１０を美的感覚の優れたものとすることができ、腕時計１００の商品価値の向上をさらに図ることができる。
【００６４】
［実施形態２］
以下に、実施形態２の腕時計２００について図４及び図５を参照して説明する。
ここで、図４は、本発明を適用した実施形態２の腕時計２００を示す正面図であり、図５は、図４のＶ−Ｖ線における要部の拡大断面図である。
なお、実施形態２の腕時計２００は、表示装置２１０の構成以外の点では上記実施形態１と同様であるので、同様の構成には同一の符号を付してその説明を省略する。
【００６５】
図４及び図５に示すように、本実施形態の腕時計２００に係る表示装置２１０は、下光透過基板ｇ２のみをその厚さ方向に貫通して形成された貫通孔Ｈ２が設けられ、この貫通孔Ｈ２に上端部を挿入するようにしてＬＥＤ１０ｂが配設されている。即ち、ＬＥＤ１０ｂは、その上端面を上光透過基板ｇ３の下面にほぼ当接させるようにして貫通孔Ｈ２内に配設されている。
【００６６】
以上のように、実施形態２の腕時計２００によれば、液晶表示パネル２１０ａの貫通孔Ｈ２内にＬＥＤ１０ｂが配設されているので、このＬＥＤ１０ｂから照射された光を貫通孔Ｈ２の内周面を介して下光透過基板ｇ２に入射させることができる。また、ＬＥＤ１０ｂの上端部から発せられて、貫通孔Ｈ２が設けられている下光透過基板ｇ２の方に向かわずに漏れてしまう光は、貫通孔Ｈ２が設けられていない上光透過基板ｇ３に入射されて導光されることとなるので、液晶表示パネル２１０ａに対する光の照射効率を高めることができる。これにより、液晶表示パネル２１０ａの照明をより効率良く行うことができる。
【００６７】
また、本実施形態の表示装置２１０は、視認側の略全面に上光透過基板ｇ３が配置され、ＬＥＤ１０ｂが直接視界に入らないために、液晶表示パネル２１０ａにおけるデジタル表示の自由度を向上させることができる。即ち、実施形態１の腕時計１００のようにＬＥＤ１０ｂの上端面を視認側から露出させるように配置されていると、その上端面によりデジタル表示が制限され、その上で、見た目を良くするためには、当該ＬＥＤ１０ｂの略円形とされる上端面にて指針軸を模式的に表すような表示となってしまう。しかしながら、本実施形態にあっては、ＬＥＤ１０ｂが直接視界に入らないために、時刻を数値でデジタル表示しても違和感がなくなり、当該腕時計２００の見た目をより良くすることができる。
【００６８】
［実施形態３］
以下に、実施形態３の腕時計３００について図６及び図７を参照して説明する。
ここで、図６は、本発明を適用した実施形態３の腕時計３００を示す正面図であり、図７は、図６のＶII−ＶII線における要部の拡大断面図である。
なお、実施形態３の腕時計３００は、表示装置３１０の構成並びにアナログ指針機構１４以外の点では上記実施形態１と同様であるので、同様の構成には同一の符号を付してその説明を省略する。
【００６９】
図６及び図７に示すように、本実施形態の腕時計３００は、時刻を時針、分針及び秒針等の指針を用いて示すアナログ指針機構１４と、例えば気圧、曜日等の各種情報を補助表示する４つの補助情報表示部１５、…を備えている。
【００７０】
アナログ指針機構１４は、回路基板１０ｃと電気的に接続されており、上光透過基板ｇ４及び下光透過基板ｇ５の略中心を厚さ方向に貫通して形成された軸孔内にて上方に延びる指針軸１４１と、この指針軸１４１に取り付けられた時針、分針、秒針等の指針１４２と、指針１４２を指針軸１４１を中心として運針する運針機構部１４３とを備えて構成されている。
【００７１】
補助情報表示部１５は、液晶表示パネル３１０ａの指針軸を中心にして３時方向側、６時方向側、９時方向側並び１２時方向側のそれぞれに設けられ、所定径を有する略円形の範囲内に補助情報を表示可能となっている。即ち、液晶表示パネル３１０ａの３時方向側、６時方向側、９時方向側並び１２時方向側のそれぞれには、上光透過基板ｇ４及び下光透過基板ｇ５の双方を厚さ方向に貫通する貫通孔Ｈ３が形成されており、当該貫通孔Ｈ３の各々に対応させて貫通孔Ｈ３内に上端部を挿入するようにしてＬＥＤ１０ｂが配設されている。
【００７２】
以上のように、実施形態３の腕時計３００によれば、４つの貫通孔Ｈ３、…の各々に対応させてＬＥＤ１０ｂ、…が配設されているので、４つのＬＥＤ１０ｂ、…にて液晶表示パネル３１０ａを効率良く、且つ、より明るく照明することができ、液晶表示パネル３１０ａの視認性をより向上させる。
また、複数のＬＥＤ１０ｂ、…を備える表示装置３１０であっても、その厚さ並びに光透過基板ｇ４、ｇ５に沿う方向の外形長さが大きくなることを防止して、当該表示装置３１０のより小型化を図ることができる。
さらに、ＬＥＤ１０ｂは、補助情報表示部１５の各々に対応する位置に設けられているので、表示装置３１０にて表示されるユーザにとって重要な部分を効率良く照明することができる。また、表示装置３１０を美的感覚の優れたものとすることができ、腕時計３００の商品価値の向上をさらに図ることができる。
【００７３】
＜変形例１＞
なお、上記実施形態１〜３の腕時計１００、２００、３００にあっては、ＬＥＤ１０ｂから照射された光を液晶表示パネル１０ａ、２１０ａ、３１０ａ側に反射させる所定の反射部材１６を設けても良い。
以下に、腕時計４００の変形例について図８及び図９を参照して説明する。
なお、図８は、この変形例１の腕時計４００を示す正面図であり、図９は、図８のIＸ
−IＸ線における要部の拡大断面図である。
【００７４】
図８及び図９に示すように、ＬＥＤ１０ｂの上方、具体的には、時計ガラス３の下面のＬＥＤ１０ｂに対向する領域に、当該ＬＥＤ１０ｂを略中心に位置させるようにして所定幅を有する略円環状に形成された反射部材１６が設けられている。
ここで、反射部材１６は、例えば、アルミ蒸着、シルバーインクの印刷、及び、反射シールの貼り付けなどによって時計ガラス３の下面に設けることができる。
【００７５】
従って、ＬＥＤ１０ｂ、特に、その上端部から発せられ上光透過基板ｇ１及び下光透過基板ｇ２の方に向かわずに漏れてしまう光は、反射部材１６にて反射されて光透過基板ｇ１、ｇ２内に入射され導光されることとなり、液晶表示パネル１０ａの照明をより効率良く行うことができる。
【００７６】
なお、上記実施形態１〜３では、貫通孔Ｈ１、Ｈ２、Ｈ３を略円形状に形成するように構成したが、これに限られるものではなく、当該貫通孔Ｈ１、Ｈ２、Ｈ３の形状は、挿入されるＬＥＤ１０ｂの少なくとも一部の外形形状に対応させて適宜変更可能となっている。
【００７７】
［実施形態４］
以下に、実施形態４の腕時計８００について図１０を参照して説明する。
ここで、図１０は、本発明を適用した実施形態４の電子機器の好適な一例として例示する腕時計８００の要部の一断面を示す図である。
なお、実施形態４の腕時計８００を構成する各部のうち、上記実施形態１〜３と同様の構成には同列の符号を付してその説明を省略するものとする。
【００７８】
図１０に示すように、本実施形態の腕時計８００は、時計計時部１と、この時計計時部１に収納する時計ケース（機器ケース）８０２が備えられている。
時計ケース８０２の上部中央には時計ガラス（光透過性部材）８０３が装着されている。また、時計ケース８０２の下面には、防水リング８０５を介して裏蓋８０６が取り付けられており、裏蓋８０６と時計計時部１との間には、緩衝部材８０７が設けられている。
【００７９】
時計計時部１は、デジタル表示機能を備える表示装置８１０と、上部ハウジング８１１と、下部ハウジング８１２とを備えて構成されている。
下部ハウジング８１２と上部ハウジング８１１との間には、表示装置８１０を構成する回路基板８１０ｃが配置されている。
上部ハウジング８１１の上部には、上面を時計ガラス８０３の下面にほぼ当接させるようにして枠状部材８１３が配設されている。
【００８０】
以下に、表示装置８１０について詳細に説明する。
表示装置８１０は、上部ハウジング８１１に収容された液晶表示パネル８１０ａと、液晶表示パネル８１０ａに対して光を照射するＬＥＤ（発光素子）１０ｂと、液晶表示パネル８１０ａ、ＬＥＤ１０ｂ等と電気的に接続された回路基板８１０ｃと、ＬＥＤ１０ｂから照射された光を反射させる光反射部材８１６とを備えて構成されている。
【００８１】
液晶表示パネル８１０ａは、例えば上下一対の透明電極をそれぞれ有する上光透過基板ｇ１１及び下光透過基板ｇ１２と、上透明電極と下透明電極の間に封止された高分子分散液晶Ｌと、上光透過基板ｇ１１の上面に配設されたＵＶカットフィルムｆ１と、下光透過基板ｇ１２の下面に配設された反射フィルムｆ２等により構成されている。
【００８２】
上光透過基板ｇ１１は、その厚さ方向に略直交する方向の一面が下光透過基板ｇ１２の同方向の一面よりも広い面積を有してなり、上光透過基板ｇ１１及び下光透過基板ｇ１２は、例えば、互いの中心位置をほぼ一致させるようにして上下に重ねて配設されている。また、上光透過基板ｇ１１のうち、下光透過基板ｇ１２に当接されていない所定位置、例えば図１０における左右両端部には、上透明電極及び下透明電極に接続された接続線（図示略）と回路基板８１０ｃとを電気的に接続するためのインターコネクター８１７が設けられている。
なお、インターコネクター８１７は、液晶表示パネル８１０ａの駆動に係る各種信号を回路基板８１０ｃから液晶表示パネル８１０ａに供給するコネクターであり、例えば、導電性のゴムから構成されている。
【００８３】
回路基板８１０ｃのインターコネクター８１７が接続された部分よりも端部側には、上端（視認側の端部）にＬＥＤ１０ｂが接続されたコイルばね８１８の下端が固定されており、このコイルバネ８１８によってＬＥＤ１０ｂは視認側に付勢されている。
ここで、ＬＥＤ１０ｂの時計ケース８０２内における配置について詳細に説明する。
先ず、時計ケース８０２と上部ハウジング８１１との境界部分には、コイルばね８１８の配設位置に対応させて、例えば、図１０における左右両端部にて当該時計ケース８０２並びに上部ハウジング８１１を厚さ方向に貫通するように、コイルばね８１８が挿通される挿通孔部８１９が形成されている。そして、挿通孔部８１９の上方には、当該挿通孔部８１９に連続する時計ケース８０２の内周面部と枠状部材８１３の外周面部とによって、ＬＥＤ１０ｂが収容されるＬＥＤ収容部８２０が形成されている。
このＬＥＤ収容部８２０内に、ＬＥＤ１０ｂの光出力部から略水平に、且つ、中心側に向けて光が照射されるように、当該ＬＥＤ１０ｂが配設されている。つまり、ＬＥＤ１０ｂは、時計ケース８０２内にて液晶表示パネル８１０ａの外側に配設されている。
【００８４】
また、ＬＥＤ１０ｂの上方、即ち、時計ガラス８０３の開口側と反対となる液晶表示パネル８１０ａ側の面に、光反射部材８１６が設けられている。
この光反射部材８１６は、少なくとも時計ガラス８０３に対して視認側から入射された光を透過するとともに、ＬＥＤ１０ｂから照射された光を液晶表示パネル８１０ａの上光透過基板ｇ１１の視認側の面に向けて反射するものである。また、光反射部材８１６は、光の反射率の高い材料から構成されており、具体的には、例えば、印刷や蒸着等により形成されても良いし、所定の反射シールを貼付されたものであっても良い。
【００８５】
以上のように、実施形態４の腕時計８００によれば、時計ガラス８０３の液晶表示パネル８１０ａ側の面に設けられている光反射部材８１６によって、ＬＥＤ１０ｂから発せられた光、特に、液晶表示パネル８１０ａの方に向かわずに漏れてしまう光であっても、液晶表示パネル８１０ａの視認側の面に向けて反射させて、上光透過基板ｇ１１及び下光透過基板ｇ１２内に入射させることができる。即ち、ＬＥＤ１０ｂから照射された光は、液晶表示パネル８１０ａにその視認側から入射されることとなるので、例えば、液晶表示パネル８１０ａに対してその視認側と反対側から光を照射する構成のものに比べて、液晶表示パネル８１０ａに表示される各種情報のコントラストや視認性の低下を抑制することができる。また、高分子分散液晶Ｌを有する液晶表示パネル８１０ａにおいて、その視認側と反対側に設けられる反射フィルムｆ２の色を背景色として適正に表すことができる。
このように、液晶表示パネル８１０ａの視認性を向上させることができ、表示装置８１０を備える腕時計８００の商品価値を向上させることができる。
【００８６】
［実施形態５］
以下に、実施形態５の腕時計９００について図１１を参照して説明する。
ここで、図１１は、本発明を適用した実施形態５の電子機器の好適な一例として例示する腕時計９００の要部の一断面を示す図である。
なお、実施形態５の腕時計９００を構成する各部のうち、上記実施形態１〜３と同様の構成には同一の符号を付してその説明を省略するものとする。
【００８７】
図１１に示すように、本実施形態の腕時計９００に備わる表示装置９１０には、回路基板８１０ｃの視認側の面に光出力部から略垂直に光が照射されるようにＬＥＤ１０ｂが配設され、このＬＥＤ１０ｂから照射された光が時計ケース９０２の内面に配設された光反射部材９１６により反射されて、液晶表示パネル９１０ａ内にその端部側から入射されるようになっている。
【００８８】
即ち、時計ケース９０２の内周面には、その視認側の端部に時計ガラス８０３が固定されるガラス固定部９０２ａが設けられ、そのガラス固定部９０２ａの視認側と反対側の端部（図１１における下端部）に連続して、当該端部から中心側に向けて突出形成され、液晶表示パネル９１０ａを支持する突出支持部９２１が設けられている。
突出支持部９２１には、時計ケース９０２の内周面に対して略水平に形成され、液晶表示パネル９１０ａの上光透過基板ｇ１３の視認側の面の端部に当接固定されるパネル固定面部９２１ａと、このパネル固定面部９２１ａの時計ケース９０２の内周面側の端部に連続して当該時計ケース９０２の内周面に向けて傾斜して形成され、光反射部材９１６が配設される反射部材配設面部９２１ｂとが形成されている。
【００８９】
反射部材配設面部９２１ｂは、回路基板８１０ｃに配設されたＬＥＤ１０ｂに対向するように形成されている。つまり、ＬＥＤ１０ｂは、回路基板８１０ｃの液晶表示パネル９１０ａの外側となる所定位置、具体的には、図１１における左右両端部に配設されている。
また、反射部材配設面部９２１ｂには、ＬＥＤ１０ｂの光照射軸上に位置するように光反射部材９１６が設けられている。即ち、光反射部材９１６は、ＬＥＤ１０ｂから照射された光をパネル固定面部９２１ａに固定された液晶表示パネル９１０ａの端部側に反射させるような角度をもって反射部材配設面部９２１ｂに配設されている。
なお、光反射部材９１６は、ＬＥＤ１０ｂから照射された光の反射率の高い材料から構成された部材であり、例えば、白色の樹脂やミラー等が挙げられる。また、光反射部材９１６は、上記実施形態４の光反射部材８１６と同様に、印刷や蒸着等により形成されても良いし、所定の反射シールを貼付されたものであっても良い。
【００９０】
なお、本実施形態における液晶表示パネル９１０ａを構成する上光透過基板ｇ１３及び下光透過基板ｇ１４は、互いに略同形状に形成され、上下にほぼ一致して重なるように配設されている。
【００９１】
以上のように、実施形態５の腕時計９００によれば、ＬＥＤ１０ｂの光照射軸上に設けられている光反射部材９１６によって、ＬＥＤ１０ｂから照射された光を液晶表示パネル９１０ａの端部側に向けて反射させて、上光透過基板ｇ１３及び下光透過基板ｇ１４内に入射させることができる。即ち、ＬＥＤ１０ｂから照射された光は、液晶表示パネル９１０ａにその端部側から入射されることとなるので、液晶表示パネル９１０ａに対してその視認側と反対側から光を照射する構成のものに比べて、液晶表示パネル９１０ａに表示される各種情報のコントラストや視認性の低下を抑制することができる。また、高分子分散液晶Ｌを有する液晶表示パネル８１０ａにおいて、その視認側と反対側に設けられる反射フィルムｆ２の色を背景色として適正に表すことができる。
このように、液晶表示パネル９１０ａの視認性を向上させることができ、表示装置９１０を備える腕時計９００の商品価値を向上させることができる。
【００９２】
また、液晶表示パネル９１０ａとＬＥＤ１０ｂとの配置の自由度を向上させることができ、これにより、必ずしも液晶表示パネル９１０ａとＬＥＤ１０ｂとを表示装置９１０の厚さ方向に配設する必要がなくなり、表示装置９１０の薄型化を図ることができる。
さらに、突出支持部９２１の反射部材配設面部９２１ｂ、即ち、時計ケース９０２の内面に光反射部材９１６が設けられているので、腕時計９００内に、光反射部材９１６の配設のためだけの専用部品等を設ける必要がなくなり、腕時計９００の小型化を図ることができる。
【００９３】
＜変形例２＞
以下に、変形例２の腕時計１０００について図１２を参照して説明する。
ここで、図１２は、変形例２の腕時計１０００の要部の一断面を示す図である。
図１２に示すように、この変形例２の腕時計１０００に係る表示装置１０１０は、実施形態５の腕時計９００に備わる時計ケース９０２内に、上記実施形態４の腕時計８００に備わる液晶表示パネル８１０ａを備えて構成されている。
即ち、より具体的には、液晶表示パネル８１０ａは、上光透過基板ｇ１１の視認側の面を突出支持部９２１のパネル固定面部９２１ａの視認側と反対側の面に当接させて固定され、光透過性を有するインターコネクター８１７を介して回路基板８１０ｃと電気的に接続されている。
回路基板８１０ｃのインターコネクター８１７が接続された部分よりも端部側の各々には、ＬＥＤ１０ｂが配設されている。
【００９４】
従って、ＬＥＤ１０ｂから照射された光は、ＬＥＤ１０ｂの光照射軸上に設けられている光反射部材９１６によって液晶表示パネル８１０ａの端部側に向けて反射させられて、上光透過基板ｇ１１及び下光透過基板ｇ１２内に入射されることとなる。ここで、液晶表示パネル８１０ａと回路基板８１０ｃとがインターコネクター８１７により接続されているので、ＬＥＤ１０ｂから照射された光はインターコネクター８１７を透過して液晶表示パネル８１０ａの端部側に入射される。従って、液晶表示パネル８１０ａに対する光の入射領域を狭くすることなく、十分に確保することができる。
【００９５】
［実施形態６］
以下に、実施形態６の腕時計１１００について図１３を参照して説明する。
ここで、図１３は、本発明を適用した実施形態６の電子機器の好適な一例として例示する腕時計１１００の要部の一断面を示す図である。
なお、実施形態６の腕時計１１００を構成する各部のうち、上記実施形態１〜５と同様の構成には同一の符号を付してその説明を省略するものとする。
【００９６】
図１３に示すように、本実施形態の腕時計１１００に備わる表示装置１１１０には、液晶表示パネル１１１０ａの外側下部、即ち、外側であって視認側と反対側に当該液晶表示パネル１１１０ａの内側に位置するようにＬＥＤ１０ｂが設けられ、このＬＥＤ１０ｂから液晶表示パネル１１１０ａの外側に向けて照射された光を液晶表示パネル１１１０ａの端部側に向けて反射させる光反射部材９１６が時計ケース９０２の反射部材配設面部９２１ｂに取り付けられている。
【００９７】
ＬＥＤ１０ｂは、回路基板８１０ｃの視認側の面に液晶表示パネル１１１０ａの縁部と上下にほぼ重なるように取り付けられている。また、ＬＥＤ１０ｂは、その上端部の内部の光出力部から液晶表示パネル１１１０ａの外側、より具体的には、図１３における斜め上方に向けて光が出力されるように、例えば上端部内部に反射部材（図示略）を備えて構成されている。
回路基板８１０ｃと液晶表示パネル１１１０ａとの間には上部ハウジング１１１１が設けられており、この上部ハウジング１１１１は、ＬＥＤ１０ｂの位置に対応させて当該ＬＥＤ１０ｂから出力された光を光反射部材９１６に照射することができるように所定形状に切り欠かれている。これにより、ＬＥＤ１０ｂから照射された光は時計ケース９０２の内面に配設された光反射部材９１６に入射され、さらに、この光反射部材９１６により反射されて、液晶表示パネル１１１０ａ内にその端部側から入射されるようになっている。
【００９８】
以上のように、実施形態６の腕時計１１００によれば、ＬＥＤ１０ｂの光照射軸上に設けられている光反射部材９１６によって、ＬＥＤ１０ｂから照射された光を液晶表示パネル１１１０ａの端部に向けて反射させて、上光透過基板ｇ１３及び下光透過基板ｇ１４内に入射させることができる。即ち、ＬＥＤ１０ｂから照射された光は、液晶表示パネル１１１０ａにその端部から入射されることとなるので、液晶表示パネル１１１０ａに対してその視認側と反対側から光を照射する構成のものに比べて、液晶表示パネル１１１０ａに表示される各種情報のコントラストの低下を抑制することができる。また、高分子分散液晶Ｌを有する液晶表示パネル１１１０ａにおいて、その視認側と反対側に設けられる反射フィルムｆ２の色を背景色として適正に表すことができる。
このように、液晶表示パネル１１１０ａの視認性を向上させることができ、表示装置１１１０を備える腕時計１１００の商品価値を向上させることができる。
【００９９】
さらに、ＬＥＤ１０ｂが液晶表示パネル１１１０ａの内側に設けられているので、表示装置１１１０の光透過基板ｇ１３、ｇ１４に沿う方向の外形長さも短くすることができ、これにより、当該表示装置１１１０並びにこれを備える本腕時計１１００のより小型化を図ることができる。
【０１００】
［実施形態７］
以下に、実施形態７の腕時計１２００について図１４を参照して説明する。
ここで、図１４は、本発明を適用した実施形態７の電子機器の好適な一例として例示する腕時計１２００の要部の一断面を示す図である。
なお、実施形態７の腕時計１２００を構成する各部のうち、上記実施形態１〜６と同様の構成には同一の符号を付してその説明を省略するものとする。
【０１０１】
図１４に示すように、本実施形態の腕時計１２００に備わる表示装置１２１０には、液晶表示パネル１２１０ａの外側下部であって当該液晶表示パネル１２１０ａの略中央にＬＥＤ１０ｂが設けられ、このＬＥＤ１０ｂに対向させるように液晶表示パネル１２１０ａよりも視認側に文字板１２１１が配設されている。
【０１０２】
液晶表示パネル１２１０ａは、互いに略同形状となるように形成され、上下にほぼ一致して重なるように配設された上光透過基板ｇ１５及び下光透過基板ｇ１６を備え、これら両光透過基板ｇ１５、ｇ１６の端部が時計ケース１２０２の内周面１２０２ａに当接固定されている。
また、下光透過基板ｇ１６の下面には反射フィルムｆ２が配設されており、この反射フィルムｆ２の略中央部には、ＬＥＤ１０ｂの外形と略等しいか、若しくはわずかに大きい形状の開口部ｆ２１が形成されている。そして、開口部ｆ２１を介して下光透過基板ｇ１６の下面に上端部を対向させるようにＬＥＤ１０ｂが回路基板１２１０ｃに配設されている。
【０１０３】
文字板１２１１は、液晶表示パネル１２１０ａの視認側の面に当該液晶表示パネル１２１０ａの中央部及び端部を被覆するように取り付けられている。即ち、文字板１２１１のうち、液晶表示パネル１２１０ａの中央部を被覆する部分は、ＬＥＤ１０ｂと対向するような配置となっている。
従って、ＬＥＤ１０ｂから照射された光は、液晶表示パネル１２１０ａ内を一旦通過した後、文字板１２１１の裏面側により反射されて、液晶表示パネル１２１０ａ内に再入射されるようになっている。
【０１０４】
なお、液晶表示パネル１２１０ａは、文字板１２１１によって被覆されずに視認側に露出された状態の当該液晶表示パネル１２１０ａの中央部と端部との間の部分に各種情報が表示されるようになっている。
【０１０５】
以上のように、実施形態７の腕時計１２００によれば、ＬＥＤ１０ｂの光照射軸上に設けられている文字板１２１１の裏面側にてＬＥＤ１０ｂから照射された光を液晶表示パネル１２１０ａに向けて反射させて、上光透過基板ｇ１５及び下光透過基板ｇ１６内に入射させることができる。即ち、ＬＥＤ１０ｂから照射された光は、文字板１２１１にて液晶表示パネル１２１０ａ側に反射され、当該液晶表示パネル１２１０ａの文字板１２１１により被覆されていない領域においてその視認側から入射されることとなるので、液晶表示パネル１２１０ａに対してその視認側と反対側から光を照射する構成のものに比べて、液晶表示パネル１２１０ａに表示される各種情報のコントラストの低下を抑制することができる。また、高分子分散液晶Ｌを有する液晶表示パネル１２１０ａにおいて、その視認側と反対側に設けられる反射フィルムｆ２の色を背景色として適正に表すことができる。
このように、液晶表示パネル１２１０ａの視認性を向上させることができ、表示装置１２１０を備える腕時計１２００の商品価値を向上させることができる。
【０１０６】
また、ＬＥＤ１０ｂは文字板１２１１により視認側からは隠された状態となるので、表示装置１２１０を美的感覚の優れたものとすることができ、腕時計１２００の商品価値の向上をさらに図ることができる。
さらに、ＬＥＤ１０ｂが液晶表示パネル１２１０ａの内側に設けられているので、表示装置１２１０の光透過基板ｇ１５、ｇ１６に沿う方向の外形長さも短くすることができ、これにより、当該表示装置１２１０並びにこれを備える本腕時計１２００のより小型化を図ることができる。
【０１０７】
＜変形例３＞
以下に、変形例３の腕時計１３００について図１５を参照して説明する。
ここで、図１５は、変形例３の腕時計１３００の要部の一断面を示す図である。
図１５に示すように、この変形例３の腕時計１３００に係る表示装置１３１０は、液晶表示パネル１３１０ａの外側下部の縁部にＬＥＤ１０ｂが設けられている。
具体的には、例えば、液晶表示パネル１３１０ａの下光透過基板ｇ１６の下面に配設された反射フィルムｆ２の一端部（図１５における左端部）が、ＬＥＤ１０ｂの形状に対応させて切り欠かれており、この切り欠かれた部分を介して下光透過基板ｇ１６の下面に上端部を対向させるようにＬＥＤ１０ｂが配設されている。
また、文字板１３１１は、液晶表示パネル１３１０ａの端部を被覆するように取り付けられており、当該液晶表示パネル１３１０ａの端部を被覆する部分は、ＬＥＤ１０ｂと対向するような配置となっている。
【０１０８】
従って、ＬＥＤ１０ｂから照射された光は、文字板１３１１にて液晶表示パネル１３１０ａ側に反射され、当該液晶表示パネル１３１０ａの文字板１３１１により被覆されていない領域においてその視認側から入射されることとなるので、液晶表示パネル１３１０ａに対してその視認側と反対側から光を照射する構成のものに比べて、液晶表示パネル１３１０ａに表示される各種情報のコントラストの低下を抑制することができる。
また、ＬＥＤ１０ｂを液晶表示パネル１３１０ａの中央部側に設ける場合に比べて、当該液晶表示パネル１３１０ａの表示領域を確保する上でのＬＥＤ１０ｂの配置の制約を受けにくくすることができる。これにより、液晶表示パネル１３１０ａの表示領域を十分に確保することができ、腕時計１３００の商品価値の向上を図ることができる。
【０１０９】
［実施形態８］
以下に、実施形態８の携帯電話機５００について図１６及び図１７を参照して説明する。
ここで、図１６は、本発明を適用した実施形態８の電子機器の好適な一例として例示する携帯電話機５００を開いた状態を示す正面図であり、図１７は、図１６のＸＶII−ＸＶII線における要部の部分拡大断面図である。
【０１１０】
図１６に示すように、本実施形態の携帯電話機５００は、本体部５０１と、本体部５０１にヒンジ結合部５０２を介して連結された蓋部５０３とを備えて構成された折り畳み型の携帯電話機である。
携帯電話機５００は、主に蓋部５０３を開いた状態（開状態）で使用するものであり、この状態で、本体部５０１の一方の面（携帯電話機５００を閉じた状態で蓋部５０３と対向する側の面）には、スイッチ群５１１、通話用マイク５１２等が設けられ、また、蓋部５０３の一方の面（当該携帯電話機５００を閉じた状態で本体部５０１と対向する側の面）には、上端に配置された通話用スピーカ５３１と、この通話用スピーカ５３１の下側にて、ガラス板５３２を介して視認側に液晶表示パネル５１０ａを臨ませるように配設された表示装置５１０とが設けられている。
【０１１１】
表示装置５１０は、蓋部５０３の機器ケースとしての筐体５３３内に配設されている。
液晶表示パネル５１０ａは、下記に説明する以外の点では上記実施形態１〜７に備わる液晶表示パネル１０ａ、２１０ａ、３１０ａ、８１０ａ、９１０ａ、１１１０ａ、１２１０ａ、１３１０ａと同様であるので、同様の構成には同一の符号を付してその説明を省略する。
即ち、液晶表示パネル５１０ａには、平面視略矩形状をなし互いに略同形状となるよう形成された上光透過基板ｇ６及び下光透過基板ｇ７が設けられている。また、これら両光透過基板ｇ６、ｇ７の通話用スピーカ５３１側の端部、具体的には、図１７における右側端部には、当該両光透過基板ｇ６、ｇ７の厚さ方向に亘って切り欠かれて、ＬＥＤ１０ｂが配設される切欠部Ｃ１が設けられている。
より具体的には、切欠部Ｃ１は、上光透過基板ｇ６及び下光透過基板ｇ７の通話用スピーカ５３１側の縁部の当該携帯電話機５００における幅方向の略中央にて、ＬＥＤ１０ｂの略円柱状をなす上端部の外形の一部に沿うように略円弧状に切り欠かれて形成されている。そして、切欠部Ｃ１に、ＬＥＤ１０ｂの上端部の外周部の一部を嵌合させて、上端面を上光透過基板ｇ６の視認側から露出させるようにして当該ＬＥＤ１０ｂが配設されている。また、ＬＥＤ１０ｂの上端面は、上光透過基板ｇ６の上面と略面一となっている。
【０１１２】
なお、携帯電話機５００は、少なくとも他の電話機等と通話可能に構成されたものであれば如何なるものであっても良く、上記説明した本発明に係る構成以外の携帯電話機５００の構成については、その説明を省略する。
【０１１３】
以上のように、実施形態８の携帯電話機５００によれば、液晶表示パネル５１０ａの上光透過基板ｇ６及び下光透過基板ｇ７の厚さ方向に亘って切り欠かれた切欠部Ｃ１にＬＥＤ１０ｂを配設されているので、ＬＥＤ１０ｂから照射された光を切欠部Ｃ１の内周面を介して上光透過基板ｇ６及び下光透過基板ｇ７内に入射させることができる。これにより、液晶表示パネル５１０ａに対してその視認側と反対側から光を照射する構成のものに比べて、液晶表示パネル５１０ａに表示される各種情報のコントラストや視認性の低下を抑制することができる。また、高分子分散液晶Ｌを有する液晶表示パネル５１０ａにおいて、その視認側と反対側に設けられる反射フィルムｆ２の色を背景色として適正に表すことができる。
このように、液晶表示パネル５１０ａの視認性を向上させることができ、表示装置５１０を備える携帯電話機５００の商品価値を向上させることができる。
【０１１４】
また、液晶表示パネル１０ａとＬＥＤ１０ｂとを表示装置５１０の厚さ方向に配設する場合に比べて、表示装置５１０の厚さを薄くすることができる。ここで、液晶表示パネル５１０ａには、高分子分散液晶Ｌが設けられているので、表示装置５１０の厚さを偏光板、位相差フィルム、配光膜及び導光板の分薄くすることができる。さらに、表示装置５１０の光透過基板ｇ６、ｇ７に沿う方向の外形長さも短くすることができ、これにより、当該表示装置５１０並びにこれを備える本携帯電話機５００のより小型化を図ることができる。
また、偏光板が必要なくなることにより、当該偏光板による光損失がなくなって、高分子分散液晶Ｌの液剤により光が拡散されて、液晶表示パネル６１０ａ全体を明るく照明することができる。
【０１１５】
また、切欠部Ｃ１は、ＬＥＤ１０ｂの上端部の外形に沿うように略円弧状に形成されているので、ＬＥＤ１０ｂから放射方向に略均等に光を照射することができ、液晶表示パネル５１０を効率良く照明することができる。
【０１１６】
［実施形態９］
以下に、実施形態９の携帯電話機６００について図１８及び図１９を参照して説明する。
ここで、図１８は、本発明を適用した実施形態９の携帯電話機６００を示す正面図であり、図１９は、図１８のＸIＸ−ＸIＸ線における要部の部分拡大断面図である。
なお、実施形態９の携帯電話機６００は、表示装置６１０の構成以外の点では上記実施形態８と同様であるので、同様の構成には同一の符号を付してその説明を省略する。
【０１１７】
図１８及び図１９に示すように、本実施形態に係る表示装置６１０には、切欠部Ｃ２、Ｃ２が２つ形成されており、各切欠部Ｃ２に対応させてＬＥＤ１０ｂが配設されている。具体的には、切欠部Ｃ２は、上光透過基板ｇ８及び下光透過基板ｇ９の開状態の携帯電話機６００における上下方向に沿う両縁部の略中央部にそれぞれ設けられている。
【０１１８】
従って、実施形態９の携帯電話機６００によれば、２つの切欠部Ｃ２、Ｃ２の各々に対応させてＬＥＤ１０ｂが配設されているので、２つのＬＥＤ１０ｂ、１０ｂにて液晶表示パネル６１０ａを効率良く、且つ、より明るく照明することができ、液晶表示パネル６１０ａの視認性をより向上させる。
また、複数のＬＥＤ１０ｂ、…を備える表示装置６１０であっても、その厚さ並びに光透過基板ｇ８、ｇ９に沿う方向の長さが大きくなることを防止して、当該表示装置６１０の小型化を図ることができる。また、
【０１１９】
［実施形態１０］
以下に、実施形態１０の携帯電話機７００について図２０及び図２１を参照して説明する。
ここで、図２０は、本発明を適用した実施形態１０の携帯電話機７００を示す正面図であり、図２１は、図２０のＸＸI−ＸＸI線における要部の部分拡大断面図である。
なお、実施形態１０の携帯電話機７００は、表示装置７１０の構成以外の点では上記実施形態９と同様であるので、同様の構成には同一の符号を付してその説明を省略する。
【０１２０】
図２０及び図２１に示すように、本実施形態の携帯電話機７００に係る表示装置７１０には、下光透過基板ｇ７のみをその厚さ方向に亘って切り欠いて形成された切欠部Ｃ３が設けられている。即ち、切欠部Ｃ３は、下光透過基板ｇ７の通話用スピーカ５３１側の縁部の当該携帯電話機７００における幅方向の略中央に設けられ、当該切欠部Ｃ３に、上端部の外周部の一部を嵌合させてＬＥＤ１０ｂが配設されている。即ち、ＬＥＤ１０ｂは、その上端面を上光透過基板ｇ１０の下面にほぼ当接させるようにして切欠部Ｃ３に配設されている。
【０１２１】
以上のように、実施形態１０の携帯電話機７００によれば、液晶表示パネル７１０ａの切欠部Ｃ３にＬＥＤ１０ｂが配設されているので、このＬＥＤ１０ｂから照射された光を切欠部Ｃ３の内周面を介して下光透過基板ｇ７に入射させることができる。また、ＬＥＤ１０ｂの上端部から発せられて、切欠部Ｃ３が設けられている下光透過基板ｇ７の方に向かわずに漏れてしまう光は、切欠部Ｃ３が設けられていない上光透過基板ｇ１０に入射されて導光されることとなり、液晶表示パネル７１０ａに対する光の照射効率を高めることができる。これにより、液晶表示パネル７１０ａの照明をより効率良く行うことができる。
【０１２２】
なお、上記実施形態１０では、切欠部Ｃ１、Ｃ２、Ｃ３を略円弧状に形成するように構成したが、これに限られるものではなく、当該切欠部Ｃ１、Ｃ２、Ｃ３の形状は、嵌合されるＬＥＤ１０ｂの一部の外形形状に対応させて適宜変更可能となっている。
【０１２３】
また、本発明は、上記実施形態１〜１０に限定されることなく、本発明の趣旨を逸脱しない範囲において、種々の改良並びに設計の変更を行っても良い。
例えば、本発明に係る表示装置（１０、２１０、３１０、５１０、６１０、７１０、８１０、９１０、１０１０、１１１０、１２１０、１３１０）にあっては、液晶表示パネル（１０ａ、２１０ａ、３１０ａ、５１０ａ、６１０ａ、７１０ａ、８１０ａ、９１０ａ、１１１０ａ、１２１０ａ、１３１０ａ）に対してその視認側と反対側から光を入射させないような構成、即ち、ＬＥＤ１０ｂから液晶表示パネル１０ａの上光透過基板（ｇ１、ｇ３、ｇ４、ｇ６、ｇ８、ｇ１０、ｇ１１、ｇ１３、ｇ１５）及び下光透過基板（ｇ２、ｇ５、ｇ７、ｇ９、ｇ１２、ｇ１４、ｇ１６）のうち少なくとも一方に光を照射して当該液晶表示パネル１０ａに光を入射させるような構成としても良い。これにより、当該液晶表示パネル１０ａに表示される各種情報のコントラストの低下を抑制することができることとなって、液晶表示パネル１０ａの視認性を向上させることができる。
また、実施形態２において貫通孔Ｈ２を、実施形態８において切欠部Ｃ３を、下光透過基板ｇ２、ｇ７に設けるような構成としたが、これに限られるものではなく、貫通孔Ｈ２並びに切欠部Ｃ３は上光透過基板ｇ１に設けられても良い。
また、上記実施形態では、電子機器として腕時計１００〜４００、８００〜１３００及び携帯電話機５００〜７００を例示したが、これに限られるものではなく、液晶表示パネル１０ａを備える電子機器であれば如何なるものであっても良い。
【図面の簡単な説明】
【０１２４】
【図１】本発明を適用した実施形態１の電子機器の好適な一例として例示する腕時計を示す正面図である。
【図２】図１のII−II線における要部の拡大断面図である。
【図３】図１の腕時計の要部構成を示すブロック図である。
【図４】本発明を適用した実施形態２の電子機器の好適な一例として例示する腕時計を示す正面図である。
【図５】図４のＶ−Ｖ線における要部の拡大断面図である。
【図６】本発明を適用した実施形態３の電子機器の好適な一例として例示する腕時計を示す正面図である。
【図７】図６のＶII−ＶII線における要部の拡大断面図である。
【図８】変形例１の腕時計を示す正面図である。
【図９】図８のIＸ−IＸ線における要部の拡大断面図である。
【図１０】本発明を適用した実施形態４の電子機器の好適な一例として例示する腕時計の要部の一断面を示す図である。
【図１１】本発明を適用した実施形態５の電子機器の好適な一例として例示する腕時計の要部の一断面を示す図である。
【図１２】変形例２の腕時計の要部の一断面を示す図である。
【図１３】本発明を適用した実施形態６の電子機器の好適な一例として例示する腕時計の要部の一断面を示す図である。
【図１４】本発明を適用した実施形態７の電子機器の好適な一例として例示する腕時計の要部の一断面を示す図である。
【図１５】変形例３の腕時計の要部の一断面を示す図である。
【図１６】本発明を適用した実施形態８の電子機器の好適な一例として例示する携帯電話機を示す正面図である。
【図１７】図１６のＸＶII−ＸＶII線における要部の部分拡大断面図である。
【図１８】本発明を適用した実施形態９の電子機器の好適な一例として例示する携帯電話機を示す正面図である。
【図１９】図１８のＸIＸ−ＸIＸ線における要部の部分拡大断面図である。
【図２０】本発明を適用した実施形態１０の電子機器の好適な一例として例示する携帯電話機を示す正面図である。
【図２１】図２０のＸＸI−ＸＸI線における要部の部分拡大断面図である。
【符号の説明】
【０１２５】
１００、２００、３００、４００、８００、９００、１０００、１１００、１２００、１３００  腕時計（電子機器）
５００、６００、７００  携帯電話機（電子機器）
２、８０２、９０２、１２０２  時計ケース（機器ケース）
５３３  筐体（機器ケース）
１０、２１０、３１０、５１０、６１０、７１０、８１０、９１０、１０１０、１１１０、１２１０、１３１０  表示装置
１０ａ、２１０ａ、３１０ａ、５１０ａ、６１０ａ、７１０ａ、８１０ａ、９１０ａ、１１１０ａ、１２１０ａ、１３１０ａ  液晶表示パネル
ｇ１、ｇ３、ｇ４、ｇ６、ｇ８、ｇ１０、ｇ１１、ｇ１３、ｇ１５  上光透過基板
ｇ２、ｇ５、ｇ７、ｇ９、ｇ１２、ｇ１４、ｇ１６  下光透過基板
Ｈ１、Ｈ２、Ｈ３  貫通孔
Ｃ１、Ｃ２、Ｃ３  切欠部
Ｌ      高分子分散液晶
１０ｂ  ＬＥＤ（発光素子）
Ｓ      指針軸
１５    補助情報表示部
１６    反射部材
８１６、９１６  光反射部材
１２１１、１３１１  文字板
【図１】
2006003865.tif 000003
【図２】
2006003865.tif 000004
【図３】
2006003865.tif 000005
【図４】
2006003865.tif 000006
【図５】
2006003865.tif 000007
【図６】
2006003865.tif 000008
【図７】
2006003865.tif 000009
【図８】
2006003865.tif 000010
【図９】
2006003865.tif 000011
【図１０】
2006003865.tif 000012
【図１１】
2006003865.tif 000013
【図１２】
2006003865.tif 000014
【図１３】
2006003865.tif 000015
【図１４】
2006003865.tif 000016
【図１５】
2006003865.tif 000017
【図１６】
2006003865.tif 000018
【図１７】
2006003865.tif 000019
【図１８】
2006003865.tif 000020
【図１９】
2006003865.tif 000021
【図２０】
2006003865.tif 000022
【図２１】
2006003865.tif 000023